(57)【特許請求の範囲】
【請求項１】
浴室のカウンタまたは床面等の被設置面から鉛直方向に立設された手摺本体と、
該手摺本体の大部分が前記被設置面の下方に収納される収納位置と、前記手摺本体が前記被設置面から突出する使用位置との間で、前記手摺本体を上下方向に摺動可能に支持する支持部材と、
全体が光透過性部材で形成されるとともに前記手摺本体の上端から張り出して設けられ、前記手摺本体を昇降させる際の取手として機能し、前記手摺本体が前記収納位置に位置する場合も前記被設置面から突出して配置される把持部と、
該把持部に埋設され、該把持部の頂面及び周面を通して光を放射する発光手段と、
前記手摺本体の上端近傍に備えられ、ハンドシャワーのシャワーヘッドを保持するためのホルダーと
を具備することを特徴とする浴室用手摺装置。
【請求項２】
入浴者が、所定の浴室設備に触れたことを検出する接触検出手段と、
該接触検出手段の出力に基づいて前記発光手段を点灯させ、その後、予め設定された所定時間後に前記発光手段を消灯させる発光制御手段と
をさらに備えることを特徴とする請求項１に記載の浴室用手摺装置。
【発明の詳細な説明】
【技術分野】
【０００１】
本発明は、浴室用手摺装置に関するものであり、特に、高齢者や身体障害者等の入浴動作を補助する浴室用手摺装置に関するものである。
【背景技術】
【０００２】
従来より、壁に取付けられた鏡の周囲に上下方向に延びるパイプ状の手摺を備えたものが知られている。また、特許文献１に示すように、混合水栓を設けたカウンタから鉛直方向に手摺（握りバー）を立設させたものも知られている。これらの手摺は、入浴者が把持するのに好適な太さであり、洗い場で腰をおろしたり立ち上がったりする場合に、身体を支えることができるようになっている。
【０００３】
ところが、手摺を浴室の壁面に取付けたものでは、身体を前方向に乗り出して手摺を掴まなければならず、楽な姿勢で立ち上がることが困難となっていた。なお、手摺を壁面から前方向に大きく突出させた状態で設ければ、身体を乗り出さなくても握ることが可能になるが、これによれば洗髪したり体を洗ったりする際に手摺が邪魔となってしまい、快適に入浴することができなくなる。一方、カウンタから手摺を立設させるものにおいては、比較的楽な姿勢で立ち上がることができるようになるが、健康な人が入浴する場合、特に立った状態でシャワーを浴びる場合には、手摺が邪魔になったり、手摺の存在によって浴室が狭く感じられてしまうという不具合が生じる。そこで、最近では、カウンタから立設された手摺をカウンタ内に収納できるように構成したもの、換言すれば、カウンタに対して手摺を上下方向に摺動可能に支持するものが提案されている。
【０００４】
ところで、上記の特許文献１には、手摺に照明器具を内蔵し、手摺の周面（例えば中央部分の周面）から浴室内に光を放射させるものが開示されている。これによれば、手元の照明として利用することが可能になる。
【０００５】
【特許文献１】特開２００２−１７５９９号
【発明の開示】
【発明が解決しようとする課題】
【０００６】
しかし、手摺をカウンタ内に収納可能とする構成を採用すると、手摺を使用しない場合には、手摺がカウンタ内に収納されることから、手摺の周面から放射される光を照明として利用することができなくなる。つまり、収納状態では、照明器具としての価値を有さないものとなってしまう。
【０００７】
また、手摺を上下方向に摺動可能とした場合、手摺の上端の位置が変位することから、手摺がどこまで延出されているかを、容易に把握することが困難となり、例えば、洗い場で腰をおろす際に、手摺を掴み損ね、姿勢を崩したり倒れたりすることが懸念される。
【０００８】
そこで、本発明は、上記の実状に鑑み、手摺を収納した状態でも照明器具として利用することができ、しかも、入浴者が手摺を掴む際の安全性を高めることができる浴室用手摺装置を提供することを課題とする。
【課題を解決するための手段】
【０００９】
本発明にかかる浴室用手摺装置は、「浴室のカウンタまたは床面等の被設置面から鉛直方向に立設された手摺本体と、
該手摺本体の大部分が前記被設置面の下方に収納される収納位置と、前記手摺本体が前記被設置面から突出する使用位置との間で、前記手摺本体を上下方向に摺動可能に支持する支持部材と、
全体が光透過性部材で形成されるとともに前記手摺本体の上端から張り出して設けられ、前記手摺本体を昇降させる際の取手として機能し、前記手摺本体が前記収納位置に位置する場合も前記被設置面から突出して配置される把持部と、
該把持部に埋設され、該把持部の頂面及び周面を通して光を放射する発光手段と、
前記手摺本体の上端近傍に備えられ、ハンドシャワーのシャワーヘッドを保持するためのホルダーと
を具備する」ものである。
【００１０】
ここで、「手摺本体」の長さとしては、特に限定されるものでないが、手摺本体を、その上限位置である使用位置まで摺動させた際に、入浴者が立った姿勢で把持できる程度の高さ以上であることが好ましい。また、「把持部」の大きさ及び形状も特に限定されるものではないが、手摺本体よりも径が大きく、把持するのに好適な形状であることが好ましい。さらに、「光透過性部材」は透明な部材であってもよく、半透明な部材であってもよい。また、「浴室のカウンタ」としては、水栓が設けられたカウンタを例示することができ、「発光手段」としては発光ダイオードを例示することができる。
【００１１】
本発明の浴室用手摺装置によれば、カウンタ等の被設置面から鉛直方向に立設された手摺本体が、支持部材によって上下方向に摺動可能に支持されており、手摺本体を使用位置に移動させると、手摺本体が被設置面から突出した状態となり、手摺として使用することが可能となる。つまり、手摺本体に寄りかかったり、掴んだり、抱え込むことが可能になり、洗い場で腰をおろしたり立ち上がったりする場合に、手摺を用いて身体を支えることが可能になる。
【００１２】
一方、手摺本体を収納位置に移動すると、手摺本体の大部分が被設置面の下方に収納される。なお、この際、手摺本体全体が収納されるように構成してもよく、上端部分を突出させた状態で収納されるように構成してもよい。
【００１３】
また、手摺本体の上端には、取手として機能する把持部が設けられているため、把持部を握って手摺本体を昇降させることが可能となる。なお、手摺本体が収納された場合でも、この把持部を被設置面から突出させるように構成することが好ましく、これによれば手摺本体を収納位置から容易に引き出すことが可能になる。
【００１４】
ところで、本発明では、把持部に発光手段を備えるとともに、把持部全体が光透過性部材で形成されているため、発光手段が点灯すると、発光手段の光が把持部の頂面及び周面を通して放射され、浴室の天井に照射される。このため、浴室の間接照明を行うことが可能になり、柔らかな光によって癒しの空間を醸し出すことが可能になる。特に、把持部の頂面は、手摺本体が使用位置であっても収納位置であっても遮蔽されることがないため、手摺本体の使用状態に拘らず、天井に光を照射させることができる。換言すれば、手摺本体を収納した状態であっても、照明器具として利用することができ、手摺装置の価値を高めることができる。
【００１５】
また、把持部の頂面から光が放射されることから、把持部の高さ、すなわち手摺本体の長さを容易に把握させることが可能になる。このため、手摺本体を掴み損ねたり、収納されているにも拘らず寄りかかろうとしたりすることを抑制でき、入浴者の安全性を高めることができる。
【００１６】
さらに、手摺本体の突出長さが変化すると、天井と発光手段との距離が変化することから、間接照明の明るさと照射範囲とが変化することとなる。つまり、照明の受け方を変化させることができるため、間接照明としての効果を一層高めることが可能になる。
【００１８】
本発明の浴室用手摺装置によれば、光が放射される部分が、把持部の頂面だけでなく周面にも形成されていることから、使用位置における把持部の高さが、入浴者の目の高さ、またはそれ以上の高さであっても、把持部から放射される光を確実に認識させることが可能になる。
【００２０】
また、手摺本体を、シャワーヘッドを保持するための支柱として機能させることができ、手摺本体における利便性をさらに高めることが可能になる。特に、手摺本体の突出長さを変化させることにより、シャワーヘッドの高さを自由に変えることができ、入浴者が座った状態でも立った状態でも快適にシャワーを利用することができるようになる。
【００２１】
ところで、特許文献１のように手摺本体の周面から光を放射するものでは、手摺本体にホルダーを設けた場合、シャワーヘッド及びそれに湯水を供給するホースが手摺本体の前面側に位置し、入浴者側への光の放射を遮ってしまうこととなる。つまり、ホルダーにシャワーヘッドが掛けられた状態では、照明器具として用いることが困難になる。これに対し、本発明では、把持部の頂面から光を放射するため、シャワーヘッド等によって遮蔽されることがなく、いつでも間接照明として利用することが可能である。つまり、三つの機能、すなわち、手摺としての機能、照明としての機能、及び支柱としての機能を同時に作用させることが可能である。
【００２２】
さらに、本発明の浴室用手摺装置において、「入浴者が、所定の浴室設備に触れたことを検出する接触検出手段と、
該接触検出手段の出力に基づいて前記発光手段を点灯させ、その後、予め設定された所定時間後に前記発光手段を消灯させる発光制御手段と
をさらに備える」ようにしてもよい。
【００２３】
ここで、「所定の浴室設備」としては、手摺本体、把持部、または水栓等を例示することができる。
【００２４】
これによれば、所定の浴室設備に手を触れたことが検出されると、発光手段が点灯し、発光手段の光によって天井が照らされる。その後、所定時間が経過すると、発光手段を自動的に消灯する。したがって、簡単な操作で点灯させることができるとともに、消し忘れによる無駄な電力の消費を防止することができる。
【発明の効果】
【００２５】
このように、本発明の浴室用手摺装置によれば、手摺本体の状態に拘らず、光を放射させることができ、間接照明によって癒しの空間を醸し出すことができる。また、把持部への注目度を高めることにより、手摺本体を掴み損ねたりすることを抑制でき、入浴者の安全性を高めることができる。
【発明を実施するための最良の形態】
【００２６】
以下、本発明の一実施形態である浴室用手摺装置（以下、単に「手摺装置」という）について、図１乃至図５に基づき説明する。図１は本実施形態の手摺装置が備えられた浴室全体の概略構成を示す斜視図であり、図２は手摺装置を有する入浴装置の構成を示す正面図であり、図３は手摺装置の構成を示す断面図であり、図４は手摺装置の手摺本体が使用位置まで摺動した状態を示す断面図であり、図５は発光制御に関する機能的な制御構成を説明するためのブロック図である。
【００２７】
図１に示すように、手摺装置を有する入浴装置１は、浴室２に配設されたカウンタ３に組込まれており、湯水混合栓等の水栓本体（図示しない）、水栓本体を操作する水栓レバー８、水栓本体から湯水を吐出する吐出管９、水栓レバー８の右側に配設された右側手摺装置１２、及び水栓レバー８の左側に配設された左側手摺装置１３等を具備して構成されている。なお、この他、浴室２には、浴槽４や壁面５に取付けられた鏡６等も設けられている。
【００２８】
ここで、右側手摺装置１２及び左側手摺装置１３が本発明の浴室用手摺装置に相当するものであるが、これらは全く同一の構造であるため、以下、右側手摺装置１２のみについて詳細に説明し、左側手摺装置１３については具体的な説明を省略する。
【００２９】
図２及び図３に示すように、右側手摺装置１２は、カウンタ３から鉛直方向（垂直方向）に立設された手摺本体１５と、手摺本体１５を上下方向に摺動可能に支持する支持部材１６と、支持部材１６を固定するための固定部材１７及び支持脚部２５と、手摺本体１５の上端に設けられた把持部１８と、ハンドシャワーのシャワーヘッド１９を保持するためのホルダー２０とを備えている。また、支持部材１６に対して手摺本体１５の位置（高さ）を固定させるためのロック機構２２と、そのロック機構２２のロック状態を解除するロック解除機構２３と、手摺本体１５の下降速度を抑制するエアーダンパー２４も備えている。
【００３０】
各構成について具体的に説明すると、手摺本体１５は、把持するのに好適な太さのパイプ状の部材からなり、上端近傍及び下端近傍の周面には、高さ調整用孔部（図示していない）が穿設されている。なお、手摺本体１５の長さは特に限定されるものではないが、本例では約４５ｃｍに設定されている。
【００３１】
支持部材１６は、手摺本体１５の大部分がカウンタ３の下方に収納される収納位置（図３参照）と、手摺本体１５がカウンタ３から突出する使用位置（図４参照）との間で、手摺本体１５を摺動可能に支持するものであり、パイプ状の部材から形成されている。支持部材１６の外径は、手摺本体１５の内径よりも僅かに小さくなっており、支持部材１６が手摺本体１５の内部に嵌合わされることにより、手摺本体１５を上下方向に摺動可能に支持している。なお、支持部材１６の長さも特に限定されるものではないが、本例では約３７ｃｍに設定されている。
【００３２】
固定部材１７は、上側保持部２６と下側保持部２７とから構成され、上側保持部２６は、手摺本体１５を囲むようにカウンタ３に対する手摺本体１５の貫通部分に設けられた円筒状の部材であって、カウンタ３の上面に当接するフランジ２６ａを有する。下側保持部２７は、上側保持部２６の外周面に嵌合または螺合された円筒状の部材であってカウンタ３の裏面に当接するフランジ２７ａを有する。つまり、固定部材１７は、フランジ２６ａとフランジ２７ａとでカウンタ３を挟持することでカウンタ３に組付けられ、上側保持部２６の内周面によって手摺本体１５の外周面を支えるように構成されている。また、支持脚部２５は、手摺本体１５の下端に嵌込まれ、フランジ２５ａを浴室２の床面に固定することにより、支持部材１６を立設させた状態で支持している。
【００３３】
把持部１８は、手摺本体１５の上端に設けられており、手摺本体１５を昇降させる際の取手として機能している。この把持部１８は、前方に張り出した略卵形の形状を呈しており、その下部側が手摺本体１５の上端部分に嵌込まれるとともに、手摺本体１５を貫通する取付けネジ２９によって締結されている。
【００３４】
また、把持部１８は全体が光透過性部材（例えばアクリル）で形成されている。つまり、把持部１８全体にわたって透光部２８が形成されている。把持部１８の底面には、比較的小さな窪みからなる凹部３０が形成され、凹部３０内に発光ダイオード３１が埋設されている。つまり、発光ダイオード３１から放射された光を、透光部２８を通して浴室２の天井に照射させることにより、浴室２の間接照明を行うことが可能となっている。また、本例の把持部１８では全体が光透過性部材で形成されているため、把持部１８自体が光って見えることとなり、把持部１８の存在を際立たせることが可能になる。なお、発光ダイオード３１は、半導体のＰＮ接合に順方向のバイアス電圧を加えることにより、可視光を放射するものであり、本例では、所定の発光色のものが用いられている。また、発光ダイオード３１には電力供給線３２が接続されており、電力供給線３２は手摺本体１５及び支持部材１６内を通って配線され、支持脚部２５の周面に穿設された貫通孔３３から外部へ送出されている。ここで、発光ダイオード３１が本発明の発光手段に相当する。
【００３５】
一方、ホルダー２０は、手摺本体１５における把持部１８の下方に取付けられており、前面側が開放された平面視Ｃ字形の形状を呈している。また、ホルダー２０は手摺本体１５内に埋込まれた首振り機構３６に連結されている。なお、首振り機構３６は周知な構成であるためここでは詳細な説明を省略するが、首振り機構３６を介して取付けることにより、ホルダー２０を上下方向及び左右方向に傾けることが可能になり、シャワーを浴びる際の利便性を高めている。
【００３６】
また、本例の入浴装置１には、発光ダイオード３１の点灯状態を制御するための制御装置が備えられている。制御装置は、図５に示すように、入浴者が、水栓レバー８、手摺本体１５、または把持部１８等の浴室設備に触れたことを検出する接触検出手段５０と、商用電源（ＡＣ１００Ｖ）を定電圧に変換する電源回路５３と、遅延タイマ５１を有する発光制御回路５２とを具備して構成されている。発光制御回路５２は、接触検出手段５０の出力に基づいて、右側手摺装置１２の発光ダイオード３１（右側発光ダイオード３１ａ）及び左側手摺装置１３の発光ダイオード３１（左側発光ダイオード３１ｂ）を点灯させ、遅延タイマ５１で設定された時間の経過後、これらの発光ダイオード３１を消灯する。なお、接触検出手段５０の構成としては特に限定されるものではないが、例えば、対象となる浴室設備の表面を導電性の素材で形成し、その部分における静電容量の変化を電圧の変化に変換して接触の有無を判断する構成を採用することができる。ここで、発光制御回路５２が本発明の発光制御手段に相当する。
【００３７】
次に、本例の右側手摺装置１２及び左側手摺装置１３の使用方法、及びその効果について説明する。カウンタ３から鉛直方向に立設された手摺本体１５が、支持部材１６によって上下方向に摺動可能に支持されているため、図４に示すように手摺本体１５を使用位置に移動させると、手摺本体１５がカウンタ３から大きく突出した状態となり、手摺として使用することが可能となる。つまり、入浴者が手摺本体１５に寄りかかったり、掴んだり、抱え込むことが可能になる。
【００３８】
特に、一対の手摺本体１５がカウンタ３における水栓レバー８の両側に分かれて配設されているため、入浴者は並行する一対の手摺本体１５を、左右の手で夫々掴むことが可能になる。したがって、左右のバランスがよくなり、一方の手摺本体１５を中心として体が回転するような不安定な状態を回避することが可能になる。また、安定性が高められることから強い力で握り締めなくても体を支えることができ、入浴者の負担を軽減することができる。さらに、洗い場で立ち上がったり腰をおろしたりすることへの不安感を拭い去ることが可能となる。また、入浴者は、水栓レバー８及び吐出管９を正面として、立ち上がったり腰をおろしたりすることができるため、不意に水栓レバー８が操作されてしまうことを防止でき、入浴者の安全性を一層高めることができる。
【００３９】
一方、図３に示すように、手摺本体１５を収納位置に移動すると、手摺本体１５の大部分がカウンタ３の下方に収納される。このため、一対の手摺本体１５が邪魔とならず、また浴室２を広く感じさせることが可能となる。
【００４０】
また、手摺本体１５の上端には、取手として機能する把持部１８が設けられているため、把持部１８を握って手摺本体１５を昇降させることが可能となる。なお、手摺本体１５が収納された場合でも、この把持部１８はカウンタ３から突出しているため、手摺本体１５を収納位置から容易に引き出すことが可能になる。
【００４１】
ところで、本例では、把持部１８の底面に発光ダイオード３１を上方に向けて埋設しているため、所定の浴室設備に手を触れたことが検出されると、発光ダイオード３１が点灯し、把持部１８を通して浴室２の天井に光を放射する（図１のＳ１，Ｓ２参照）。このため、浴室２の間接照明を行うことが可能になり、柔らかな光によって癒しの空間を醸し出すことができる。特に、把持部１８は、手摺本体１５が使用位置であっても収納位置であっても遮蔽されることがないため、手摺本体１５の位置に拘らず、天井に光を照射させることができる。換言すれば、手摺本体１５を収納した状態であっても、照明器具として利用することができる。また、手摺本体１５の突出長さが変化すると、天井と発光ダイオード３１との距離が変化することから、間接照明の明るさと照射範囲とが変化することとなる。つまり、照明の受け方を変化させることができるため、間接照明としての効果を一層高めることが可能になる。
【００４２】
また、把持部１８の頂面または周面から光が放射されることから、把持部１８の高さ、すなわち手摺本体１５の長さを容易に把握させることが可能になり、手摺本体１５を掴み損ねたり、収納されているにも拘らず寄りかかろうとしたりすることを抑制できる。すなわち、入浴者の安全性を確保することが可能となる。
【００４３】
なお、発光ダイオード３１は、所定時間後に自動的に消灯する。このため、消し忘れによる無駄な電力の消費を防止することができる。
【００４４】
また、手摺本体１５にはホルダー２０が設けられているため、手摺本体１５を、シャワーヘッド１９を保持するための支柱として機能させることができ、手摺本体１５における利便性をさらに高めることが可能になる。特に、手摺本体１５の突出長さを変化させることにより、シャワーヘッド１９の高さを自由に変えることができる。また、右側と左側の手摺本体１５の突出長さを互いに異ならせた場合も、シャワーヘッド１９が支持される高さを変化させることが可能になる。したがって、これによれば、入浴者が座った状態でも立った状態でも快適にシャワーを利用できるようになる。また、左右いずれの手摺本体１５にもシャワーヘッド１９を支持することができるため、左右方向におけるシャワーヘッド１９の支持範囲が広くなり、例えば身体の右側からシャワーを浴びた後に左側から浴びるというような使用方法も可能になる。
【００４５】
以上、本発明を実施するための最良の形態を挙げて説明したが、本発明はこの実施の形態に限定されるものではなく、以下に示すように本発明の趣旨を逸脱しない範囲において、種々の改良および設計の変更が可能である。
【００４６】
すなわち、上記実施形態の浴室用手摺装置では、水栓レバー８及び吐出管９と一対の手摺装置１２，１３とを、浴槽４と隣合わせて配置するものを示したが、その位置は特に限定されるものではなく、例えば、図６に示すように、浴槽４と向い合う壁面に配置するようにしてもよい。なお、この場合、水栓レバー８及び吐出管９は壁面に取付けるようにしてもよい。
【００４７】
また、上記実施形態の浴室用手摺装置では、カウンタ３に手摺本体１５を立設させるものを示したが、図６に示すように、浴室２の床面に立設させるようにしてもよい。ただし、上記実施形態のようにカウンタ３から立設させるようにすれば、手摺本体１５が洗髪等の邪魔になりにくくなり、しかも使用位置における手摺本体１５の突出長さが比較的短くなることから、浴室２が狭く感じることを軽減できる。
【００４８】
また、上記実施形態の浴室用手摺装置では、一対の手摺装置１２，１３を備えるものを示したが、一つの手摺装置のみを備えるようにしてもよい。ただし、上記実施形態のように水栓レバー８の両側に右側手摺装置１２と左側手摺装置１３とを備えるようにすれば、入浴者の安全性を高めるとともに安心感を与えることができる。また、二つの把持部１８から光が放射されるため、間接照明の明るさを増すことができ、照明としての利用価値を高めることができる。なお、各把持部１８から放射される光の発光色を互いに異ならせるようにすれば、電飾としての演出効果をさらに高めることが可能になる。
【００４９】
また、上記実施形態の浴室用手摺装置では、把持部１８全体を光透過性部材で形成し、把持部１８の周面からも光を放射させるものを示したが、把持部１８を光透過性の有さない部材で構成し、頂面にのみ光を放射する窓部（透光部）を形成するようにしてもよい。これによれば把持部１８を光らせることなく、天井だけに光を照射させることができ、例えば、浴室２の照明を消灯した状態で、一方の発光ダイオード３１を点灯させれば、浴室２の天井から「月」が見えるような、情緒豊な雰囲気を作り出すことができる。
【００５０】
さらに、上記実施形態の浴室用手摺装置では、発光ダイオード３１として所定の発光色の発光ダイオードを用いるものを示したが、互いに発光色の異なる三種類の発光ダイオード（すなわち赤色に発光する赤色発光ダイオード、緑色に発光する緑色発光ダイオード、及び青色に発光する青色発光ダイオード）を有するものを用いるようにしてもよい。これによれば、接触する浴室設備の種類に応じて発光色を変化させたり、順次発光色を変化させたりすることが可能になる。また、複数の発光色のダイオードを同時に発光させたり、さらには夫々の輝度の割合を変化させたりすれば、発光色を任意に変化させることが可能となり、光のファンタジーやイリュージョンを演出することが可能になる。
【図面の簡単な説明】
【００５１】
【図１】本実施形態の手摺装置が備えられた浴室全体の概略構成を示す斜視図である。
【図２】手摺装置を有する入浴装置の構成を示す正面図である。
【図３】手摺装置の構成を示す断面図である。
【図４】手摺装置の手摺本体が使用位置まで摺動した状態を示す断面図である。
【図５】発光制御に関する機能的な制御構成を説明するためのブロック図である。
【図６】他の実施形態の浴室全体の概略構成を示す斜視図である。
【符号の説明】
【００５２】
１  入浴装置
２  浴室
３  カウンタ（被設置面）
１２  右側手摺装置（浴室用手摺装置）
１３  左側手摺装置（浴室用手摺装置）
１５  手摺本体
１６  支持部材
１８  把持部
１９  シャワーヘッド
２０  ホルダー
２８  透光部
３１  発光ダイオード（発光手段）
５０  接触検出手段
５２  発光制御回路（発光制御手段）
【図１】
0004764257.tif 000002
【図２】
0004764257.tif 000003
【図３】
0004764257.tif 000004
【図４】
0004764257.tif 000005
【図５】
0004764257.tif 000006
【図６】
0004764257.tif 000007